(57)【要約】【課題】ローミングの利用時に、各機能を操作する際のユーザの利便性を向上させる。【解決手段】ローミングを利用可能な移動通信端末１において、ローミングの利用を検知するローミング検知部１１と、ローミング検知部１１によりローミングの利用が検知されるのに応じて、ユーザに所望の機能を選択させるためのサービスメニュー画面（待ち受け画面２１またはメインメニュー画面３４）を、ローミングに応じた画面に変更する表示制御部１６とを備える。【選択図】図１
2011217099.tif 000002
【特許請求の範囲】
【請求項１】
ローミングを利用可能な移動通信端末において、
ローミングの利用を検知する検知手段と、
前記検知手段によりローミングの利用が検知されると、ユーザに所望の機能を選択させるための画面を、ローミングに応じた画面に変更する表示制御手段と、
を備えることを特徴とする移動通信端末。
【請求項２】
前記検知手段によりローミングの利用が検知されると、ローミングの開始時からの経過時間を計数する計数手段を備え、
前記表示制御手段は、さらに前記計数手段により計数された前記経過時間に応じた画面に変更することを特徴とする、請求項１に記載の移動通信端末。
【請求項３】
前記検知手段によりローミングの利用が検知されると、在圏しているネットワークの種類を識別する識別手段を備え、
前記表示制御手段は、さらに前記識別手段により識別された前記ネットワークの種類に応じた画面に変更することを特徴とする、請求項１または２に記載の移動通信端末。
【請求項４】
前記移動通信端末で利用可能な機能のうちローミング時に使用する頻度の高い機能をまとめた一覧画面を作成する作成手段を備え、
前記表示制御手段は、前記作成手段により作成された前記一覧画面へリンクするアイコンを前記画面に表示させることを特徴とする、請求項１〜３のいずれか１項に記載の移動通信端末。
【請求項５】
ローミング時に利用できない機能または利用する必要のない機能を選択する選択手段を備え、
前記表示制御手段は、前記画面において、前記選択手段により選択された機能がユーザ操作を介して選択された際に、当該機能が利用できない旨をユーザに提示することを特徴とする、請求項１〜４のいずれか１項に記載の移動通信端末。
【請求項６】
前記表示制御手段は、前記画面において、前記選択手段により選択された機能を非表示とすることを特徴とする、請求項５に記載の移動通信端末。
【請求項７】
ローミングを利用可能な移動通信端末による画面表示制御方法であって、
ローミングの利用を検知する検知ステップと、
前記検知ステップにおいてローミングの利用が検知されると、ユーザに所望の機能を選択させるための画面を、ローミングに応じた画面に変更する表示制御ステップと、
を含むことを特徴とする画面表示制御方法。
【発明の詳細な説明】
【技術分野】
【０００１】
本発明は、ローミングを利用可能な移動通信端末及びこの移動通信端末による画面表示制御方法に関する。
【背景技術】
【０００２】
現在、ローミングを利用可能な携帯電話等の移動通信端末では、海外渡航時などのローミング利用時に、渡航先のネットワークへの接続を契機とした機能が提供されている。例えば、特許文献１には、国際ローミングを行っている携帯電話装置において、ローミング先の国別ＩＤコード取得をし、ローミング先に応じた辞書を利用可能にしたり、表示される時刻を変更するようにしたりすることが記載されている。
【先行技術文献】
【特許文献】
【０００３】
【特許文献１】特開２００１−３６９６６号公報
【発明の概要】
【発明が解決しようとする課題】
【０００４】
海外渡航時などのローミングサービスの利用時には、通常ホーム網で移動通信端末を使用する際にはほとんど使用しない機能が必要になる場面がある。例えば、短期の海外旅行者が渡航先で携帯電話を利用する場合、設定関係（国際ダイヤルアシスト設定、国際ローミング設定、ローミングガイダンス設定）や海外ご利用ガイド等の機能を利用することが想定される。その際、ユーザは、このような国内ではほとんど利用しない不慣れな機能をメニューから探さなければならず、機能によってはメニューの深い階層から探さなければいけないという煩わしさが発生する。
【０００５】
例えば、図６に示すように、待ち受け画面から第一階層のメインメニュー、第２階層、第３階層、第４階層という階層構造で機能メニューが構成されている場合、図６の例では、「３Ｇ／ＧＳＭ切替」や「ネットワークサーチ設定」など所望の海外ネットワークサービスの設定機能にたどりつくには第４階層まで下りていく必要がある。
【０００６】
このように、ローミングサービスの利用時には、ホーム網に在圏している場合と比べて機能のニーズが異なることがある。このため、ローミング有無に関わらず共通の機能選択メニューを用いていると、ローミングの利用時に必ずしもユーザにとって使い勝手のよいものとはならず、ユーザの利便性が低下してしまう場合があった。
【０００７】
本発明は、上記の問題を解決するためになされたものであり、ローミングの利用時に、各機能を操作する際のユーザの利便性を向上させることができる移動通信端末を提供することを目的とする。
【課題を解決するための手段】
【０００８】
上記課題を解決するため、本発明に係る移動通信端末は、ローミングを利用可能な移動通信端末において、ローミングの利用を検知する検知手段と、検知手段によりローミングの利用が検知されると、ユーザに所望の機能を選択させるための画面を、ローミングに応じた画面に変更する表示制御手段と、を備えることを特徴とする。
【０００９】
同様に、上記課題を解決するため、本発明に係る画面表示制御方法は、ローミングを利用可能な移動通信端末による画面表示制御方法であって、ローミングの利用を検知する検知ステップと、検知ステップにおいてローミングの利用が検知されると、ユーザに所望の機能を選択させるための画面を、ローミングに応じた画面に変更する表示制御ステップと、を含むことを特徴とする。
【００１０】
このような移動通信端末及び画面表示制御方法によれば、ローミングの利用時に、ユーザに所望の機能を選択させるための画面がローミングに応じた画面に変更されるため、例えばホーム網に在圏している場合と異なるローミング時特有の機能のニーズの変化にも対応することができ、ローミングの利用時に、各機能を操作する際のユーザの利便性を向上させることができる。この結果、海外などローミング先での移動通信端末の利用促進にもつながる。
【００１１】
また、検知手段によりローミングの利用が検知されると、ローミングの開始時からの経過時間を計数する計数手段を備え、表示制御手段は、さらに計数手段により計数された経過時間に応じた画面に変更することが好適である。この構成により、ローミングの経過時間に応じた機能のニーズの変化にも対応することができ、ローミングの利用時に、各機能を操作する際のユーザの利便性をより一層向上させることができる。
【００１２】
また、検知手段によりローミングの利用が検知されると、在圏しているネットワークの種類を識別する識別手段を備え、表示制御手段は、さらに識別手段により識別されたネットワークの種類に応じた画面に変更することが好適である。この構成により、ローミング時の在圏ネットワークの種類に応じた機能のニーズの変化にも対応することができ、ローミングの利用時に、各機能を操作する際のユーザの利便性をより一層向上させることができる。
【００１３】
また、移動通信端末で利用可能な機能のうちローミング時に使用する頻度の高い機能をまとめた一覧画面を作成する作成手段を備え、表示制御手段は、作成手段により作成された一覧画面へリンクするアイコンを画面に表示させることが好適である。この構成により、アイコンを利用して一覧画面を参照すればローミング時に必要な機能を容易に探し出すことが可能となり、ローミングの利用時に、各機能を操作する際のユーザの利便性をより一層向上させることができる。
【００１４】
また、ローミング時に利用できない機能または利用する必要のない機能を選択する選択手段を備え、表示制御手段は、上述のユーザに所望の機能を選択させるための画面において、選択手段により選択された機能がユーザ操作を介して選択された際に、当該機能が利用できない旨をユーザに提示することが好適である。
【００１５】
この構成により、ローミング時に利用することができない機能または利用する必要のない機能が選択された際にその旨がユーザに提示されるので、各機能の利用可否について移動通信端末のユーザに明確に提示することができ、この結果、ローミングの利用時に、各機能を操作する際のユーザの利便性をより一層向上させることができる。
【００１６】
また、表示制御手段は、上述のユーザに所望の機能を選択させるための画面において、選択手段により選択された機能を非表示とすることが好適である。
【００１７】
この構成により、ローミング時には不要となる機能が表示されなくなり、所望の機能をより一層容易に探し出すことが可能となる。この結果、ローミングの利用時に、各機能を操作する際のユーザの利便性をより一層向上させることができる。
【発明の効果】
【００１８】
本発明の移動通信端末及び画面表示制御方法によれば、ローミングの利用時に、各機能を操作する際のユーザの利便性を向上させることができる。
【図面の簡単な説明】
【００１９】
【図１】本発明の一実施形態に係る移動通信端末１の機能ブロック図である。
【図２】移動通信端末１のハードウェア構成図である。
【図３】本実施形態の移動通信端末１において実行される処理を示すシーケンス図である。
【図４】短期滞在メニューの画面構成の一例を示す図である。
【図５】長期滞在メニューの画面構成の一例を示す図である。
【図６】従来のサービスメニューの画面構成の一例を示す図である。
【発明を実施するための形態】
【００２０】
以下、図面を参照しながら本発明の実施形態を詳細に説明する。なお、図面の説明において同一又は同等の要素には同一の符号を付し、重複する説明を省略する。
【００２１】
図１は、本発明の一実施形態に係る移動通信端末１の機能ブロック図である。移動通信端末１は、携帯電話、ＰＤＡ（Personal Digital Assistant：個人情報端末）、パーソナルコンピュータなど、通信機能を有する装置を含むものであり、移動体通信網又はＷＷＷなどのインターネット網などによって構成される通信ネットワークＮを介して、図示しない他の移動通信端末やサーバと相互にデータ通信が可能な状態で接続される。また、この移動通信端末１は、端末内に格納されたアプリケーションを使用したり、外部のサーバにアクセスすることで、この移動通信端末１のユーザが契約している通信事業者やその他のサービスプロバイダが提供するサービスに関する各種機能を利用可能である。
【００２２】
移動通信端末１は、基本的には、この移動通信端末１のユーザが契約している通信事業者の提供するネットワーク（ホーム網）を介してサービスを利用する。そして、この移動通信端末１がホーム網とは異なる網（ローミング網）に在圏しているときには、ローミングサービスを利用して、この移動通信端末１のユーザが契約している通信事業者のサービスを、ローミング網の提携事業者の設備を介して受けられるように構成されている。
【００２３】
ここで、移動通信端末１がホーム網に在圏している場合の、通常のサービスメニュー画面の構成について図６を参照して説明する。図６に示すように、通常のサービスメニュー画面は、待ち受け画面→メインメニュー（第１階層）→第２階層→第３階層→第４階層→（以下省略）という階層構造となっている。各種サービスは、その内容に応じて複数のカテゴリに階層状に分類される。移動通信端末１のユーザは、待ち受け画面からメインメニューを開き、各階層で適宜カテゴリを選択して次の階層に下りて行き、所望の機能まで到達する。例えば図６では、所望の機能である「優先ネットワーク設定」をユーザが実行するためには、まずメインメニュー（第１階層）で「設定／ＮＷサービス」を選択し、次に第２階層において「ＮＷサービス」を選択し、さらに第３階層において「海外ネットワークサービス」を選択して、第４階層まで到達しなければならない。
【００２４】
本実施形態では、移動通信端末１は、ローミングサービスの利用時に、ユーザに所望のサービス（機能）を選択させるためのサービスメニュー画面を、ローミングに応じた画面に変更することを特徴としている。さらに、ローミングの開始時からの経過時間や在圏しているネットワークの種類に応じた画面にも変更することができる。
【００２５】
なお、本実施形態では、このホーム網の通信可能エリアは、ホーム網の通信事業者の属する自国（例えば日本）全体にわたるものとしている。すなわち、本実施形態では、移動通信端末１がローミングサービスを利用する状況としては、移動通信端末１が自国以外の外国（海外）にある状況（以下「海外渡航時」という）としている。
【００２６】
移動通信端末１は、図１に示すように、ローミング検知部（検知手段）１１、ローミング識別部（識別手段）１２、海外メニュー作成部（作成手段）１３、使用不能機能選択部（選択手段）１４、ローミング経過時間計数部（計数手段）１５、表示制御部（表示制御手段）１６、操作入力部１７、及び表示部１８を含んで構成される。
【００２７】
ローミング検知部１１は、ローミングサービスの利用を検出する。より詳細には、移動通信端末１のユーザの契約するホーム網以外のネットワークへ接続したことを検出するための従来技術を利用してローミングの検知を行う。ローミング検知部１１は、ローミングの利用を検知した場合には、ローミング識別部１２及び海外メニュー作成部１３にその旨の情報を送信する。
【００２８】
ローミング識別部１２は、ローミング検知部１１によりローミングの利用が検知されると、在圏しているネットワークの種類を識別する。より詳細には、ローミング識別部１２は、ローミング検知部１１からローミング利用中との情報を受信すると、ネットワーク種類を識別するための従来技術を利用して、在圏しているネットワークの種類が３Ｇ、ＧＰＲＳ、ＧＳＭのいずれであるかを判断する。ローミング識別部１２は、識別したネットワーク種別の情報を使用不能機能選択部１４に送信する。
【００２９】
海外メニュー作成部１３は、移動通信端末１で利用可能な機能のうちローミング時（本実施形態では、海外渡航時）に使用する頻度の高い機能（海外便利機能）をまとめた一覧画面（海外便利機能メニュー画面）を作成する。より詳細には、ローミング検知部１１からローミング利用中との情報を受信すると、端末内に保持されているすべての機能のうち、例えば海外渡航時などローミングサービスの利用中に使用頻度が高いものと予め指定されている機能を抽出し、これらの抽出した機能へのショートカットの一覧を配置した海外便利機能メニュー画面（例えば図４，５の画面２２）を作成する。作成されたメニュー画面は、表示制御部１６に送信される。
【００３０】
使用不能機能選択部１４は、ローミング時に利用できない機能または利用する必要のない機能を選択する。「ローミング時に利用できない機能」とは、ホーム網特有の機能、ホーム網のエリアのみでのサービスに係る機能、テレビ電話機能、ＧＰＳの現在地確認機能などが挙げられ、本実施形態では、ローミング識別部１２により識別された在圏ネットワークの種類に応じて、この種類のネットワークでは利用できない機能が選択される。なお、ネットワークの種類と、利用できない機能との対応関係は、端末内に予め保持されている。
【００３１】
また、使用不能機能選択部１４は、海外滞在時などのローミング時には利用する必要のない機能を併せて選択してもよい。「ローミング時には利用する必要のない機能」とは、ローミング利用中には効果を発揮しない機能や長期間ホーム網を離れていると使用しない機能であり、当該端末１が契約する通信事業者などが任意に決めることができる。使用不能機能選択部１４は、このような「海外では利用する必要のない機能」については、所与の情報として端末内に保持されている。
【００３２】
使用不能機能選択部１４は、選択した機能に関する情報を表示制御部１６に送信する。
【００３３】
ローミング経過時間計数部１５は、ローミングの開始時からの経過時間を計数する。より詳細には、ローミング経過時間計数部１５は、ローミング検知部１１によりローミングの利用が検知された後に初めて移動通信端末１の電源が入った機会を契機として、ローミングの経過時間の計数を開始する。ローミング経過時間計数部１５は、計数した現在の経過時間の情報を表示制御部１６に送信する。
【００３４】
表示制御部１６は、移動通信端末１の表示部１８の画面表示を制御する。特に本実施形態では、ローミング検知部１１によりローミングの利用が検知されると、ユーザに所望の機能を選択させるためのサービスメニュー画面を、ローミングに応じた画面に変更する。より詳細には、以下のように画面構成を変更する。
（１）海外メニュー作成部１３により作成された海外便利機能メニュー画面へリンクするアイコンを待ち受け画面またはメインメニュー画面に表示する
（２）使用不能機能選択部１４により選択された機能について、ローミング経過時間計数部１５により計測されたローミングの経過時間に応じてアイコン表示を変更する。より詳細には、
（２−１）ローミングの経過時間が７日以内の場合（短期滞在時）、該当する機能のアイコンがユーザ操作を介して選択された際に、当該機能が利用できない旨をユーザに提示（例えばポップアップ表示）する。
（２−２）ローミングの経過時間が７日を越えている場合（長期滞在時）、該当する機能のアイコンをメニュー画面から非表示とする。
【００３５】
本実施形態では、上記（１）及び（２−１）を組み合わせたものを「短期間滞在メニュー」とよび、上記（１）及び（２−２）を組み合わせたものを「長期間滞在メニュー」とよぶ。これらのメニューの詳細については、図４，５を参照して後述する。表示制御部１６は、上記のように変更した画面が表示部１８に表示されるように表示部１８を制御する。
【００３６】
操作入力部１７は、移動通信端末１のユーザによるボタン押下やタッチパネル入力などの入力操作を検知して受け付ける。本実施形態では、操作入力部１７は、ユーザの入力操作を検知すると、この入力操作に関する情報を表示制御部１６に送信する。
【００３７】
表示部１８は、表示制御部１６により構成が変更された待ち受け画面やメニュー画面を表示してユーザに提示する。
【００３８】
図２は、移動通信端末１のハードウェア構成図である。移動通信端末１は、物理的には、ＣＰＵ（Central Processing Unit）１０１、主記憶装置であるＲＡＭ（Random Access Memory）１０２及びＲＯＭ（Read Only Memory）１０３、入力デバイスである入力キー等の操作部１０４、ディスプレイ１０５、無線通信部１０６などを有する端末装置として構成されている。図１に示した移動通信端末１の各機能は、ＣＰＵ１０１、ＲＡＭ１０２等のハードウェア上に所定のコンピュータソフトウェアを読み込ませることにより、ＣＰＵ１０１の制御のもとで操作部１０４、ディスプレイ１０５、無線通信部１０６を動作させるとともに、ＲＡＭ１０２やＲＯＭ１０３におけるデータの読み出し及び書き込みを行うことで実現される。なお、上述した機能ブロックのうち、操作入力部１７は、具体的には操作部１０４により実現され、表示部１８は、ディスプレイ１０５により実現される。
【００３９】
次に、図３〜５を参照して、本実施形態の移動通信端末１において実行される処理を説明すると共に、本実施形態に係る画面表示制御方法について説明する。図３は、本実施形態の移動通信端末１において実行される処理を示すシーケンス図である。
【００４０】
まず、移動通信端末１のユーザの契約するホーム網以外において、ユーザ操作等により移動通信端末１の電源が入れられ、電源ＯＮとなると（Ｓ１）、ローミングが実行され、ローミング検知部１１により、ホーム網以外のネットワークへ接続されたことが検出される（Ｓ２：検知ステップ）。より詳細には、ローミング検知部１１は、ホーム網以外のネットワークへ在圏していることを検出するための従来技術を利用してローミングの検知を行う。
【００４１】
次に、ローミング識別部１２により、在圏しているネットワークの種類が３Ｇ，ＧＰＲＳ／ＧＳＭのうちのどのネットワークかが判断される（Ｓ３）。より詳細には、ローミング識別部１２は、ローミング検知部１１からローミング利用中との情報を受信すると、ネットワーク種類を識別するための従来技術を利用して、在圏ネットワークの種類が３Ｇ、ＧＰＲＳ、ＧＳＭのいずれであるかを判断する。
【００４２】
次に、前回電源が切られ電源ＯＦＦとなった場所がホーム網かどうかが判断される（Ｓ４）。より詳細には、移動通信端末１が電源ＯＦＦとなる際に、ローミングを利用したか否かを示す情報を記憶手段（図１には図示せず）などに保持しておき、この情報を参照して、ローミング経過時間計数部１５が上記判断を行う。
【００４３】
ステップＳ４において、前回電源ＯＦＦとなった場所がホーム網であると判定された場合、ローミング経過時間計数部１５により、現時点（例えばステップＳ４の判断時点）から経過時間の測定が開始される（Ｓ５）。なお、この経過時間は、ローミング開始時からローミング網に在圏している間は継続して測定される。例えば、経過時間の計測が開始された後に、移動通信端末１の電源が切られた場合には、この時点までに計数された経過時間の情報は、移動通信端末１内に保持される。
【００４４】
一方、ステップＳ４において、前回電源ＯＦＦとなった場所がホーム網以外であると判定された場合は、ローミング経過時間計数部１５により、移動通信端末１に保持されている前回電源オフまでに計測された経過時間から継続して、経過時間の測定が開始される（Ｓ６）。なお、経過時間は、一旦計測が開始されると、電源オフの間も測定を継続してもよい。
【００４５】
次に、表示制御部１６により、ユーザに海外メニュー（ローミング利用時用のサービスメニュー）へ変更するかどうかを確認するポップアップ画面が表示部１８の待受画面上に表示される（Ｓ７）。海外メニューへの変更を認めるユーザ操作が操作入力部１７により検知された場合には、ステップＳ８へ移行する。海外メニューへの変更を認めないユーザ操作が検知された場合には、メニューの変更等の処理は行わずに処理を終了する。
【００４６】
なお、ステップＳ７において、ユーザにより海外メニューへ変更することが一度選択されると、海外滞在中（ローミング継続中）に本フローが再度実行される際には、ユーザに再度確認することなく自動的にステップＳ８に移行するよう構成してもよい。
【００４７】
ステップＳ７にて海外メニューへ変更することが選択された場合、現時点（例えばステップＳ７の判断時点）で、ローミングの経過時間が７日（１６８時間）以下であるかどうかが判断される（Ｓ８）。７日以下であると判断された場合には、まだ短期間の海外滞在中（ローミング継続中）であると判断され、ステップＳ９へ移行する。７日より長い場合には、長期間の海外滞在中（ローミング継続中）と判断され、ステップＳ１１へ移行する。このステップＳ８の処理は、表示制御部１６により、ローミング経過時間計数部１５から取得した経過時間の情報に基づいて実行される。なお、滞在期間（ローミング経過時間）を短期間及び長期間に区別する時間は、本実施形態では７日間を一例として挙げたが、適宜変更してよい。
【００４８】
ステップＳ８にてローミングの経過時間が７日以下であると判断された場合は、表示制御部１６により、「短期滞在メニュー」への変更が実施される（Ｓ９：表示制御ステップ）。
【００４９】
ここで、「短期滞在メニュー」の詳細について図４を参照して説明する。図４に示すように、短期滞在メニューでは、待ち受け画面２１に「海外便利機能」のアイコン２１ｂを表示させる。このアイコン２１ｂは、海外メニュー作成部１３により作成された海外便利機能メニュー画面２２へリンクされている。なお、待ち受け画面２１には、図４に示すようにローミング先の通信事業者名（オペレータ名）２１ａを表示してもよい。このオペレータ名は、例えばローミング検知部１１がローミングを検知したとき、またはローミング識別部１２がローミング網の種類を識別したときに、取得される。
【００５０】
海外便利機能メニュー画面２２は、海外渡航時（ローミング時）に使用頻度が高い機能へのショートカットの一覧になっている。海外便利機能メニュー画面２２に記載する機能としては、例えば、
・翻訳ソフトなど海外滞在中（ローミング中）にわたりユーザの作業等を支援するための機能や、
・海外ネットワークサービス（３Ｇ／ＧＳＭ切替、ネットワークサーチ設定、優先ネットワーク設定、オペレータ名表示設定）、海外設定（メール設定、メール選択受信設定、ローミング時着信規制、ローミング着信通知設定、国際ダイヤルアシスト設定、ローミングガイダンス設定、在圏状態）、海外用サービス（留守番電話（海外）、転送電話（海外）、遠隔操作設定（海外）、番号通知お願い（海外）、ローミングガイダンス（海外））など、海外に到着した際（ローミング開始時）に各種サービスを利用するための設定を行う機能や、
・海外ご利用ガイドなど渡航先（ローミング網のエリア）に関する情報をユーザに提供するための機能
などが挙げられる。また、海外便利機能メニュー画面２２には、通常メニューや長期滞在メニューへユーザ操作により変更することができる「海外メニュー変更」機能を含めてもよい。
【００５１】
また、短期滞在メニューでは、待ち受け画面２１から一階層下のメインメニュー画面２３において、ローミング時に利用できない（またはローミング時に利用する必要のない）機能を選択した際、その旨をユーザへ通知するよう構成されている。例えば、図４に示すように、ローミング時に利用できない機能のアイコン２３ａが選択され（カーソルが当てられ）ると、「この機能は海外では利用できません」などの文章を含む画面２３ｂがポップアップ表示され、当該機能が利用できないことを移動通信端末１のユーザに提示する。なお、海外滞在時間（ローミング網の在圏時間）が短い場合は、短期間にメインメニュー表示等を大きく変更してしまうと、逆に使用感、操作性が悪くなってしまうため、メニューの大きな変更はおこなわずに、使用できない機能を選択した際に利用できない旨をユーザに通知することとしている。本実施形態では、このような「ローミング時に利用できない（またはローミング時に利用する必要のない）機能」は、使用不能機能選択部１４により、ローミング識別部１２で識別された接続中のネットワークの種類や、当該端末１が契約する通信事業者などによる所与の情報に応じて選択され、表示制御部１６に通知される。
【００５２】
ステップＳ９において短期間滞在メニューへ変更された後に、表示制御部１６によって、経過時間が７日（１６８時間）を超えたか否かが判断される（Ｓ１０）。経過時間が７日を越えるまでは、このステップで待機し、７日を越えた後に、ステップＳ１１に移行する。
【００５３】
次に、表示制御部１６により、ユーザに長期滞在メニューへ変更するかどうかを確認するポップアップ画面が表示部１８の待受画面上に表示される（Ｓ１１）。長期滞在メニューへの変更を認めるユーザ操作が操作入力部１７により検知された場合には、ステップＳ１２へ移行する。長期滞在メニューへの変更を認めないユーザ操作が検知された場合には、メニューの変更等の処理は行わずに処理を終了する。つまり、ステップＳ９で短期間滞在メニューへ変更していた場合は、短期間滞在メニュー表示のまま処理を終了し、通常メニューの状態であった場合は、特にメニュー変更は行わずに終了とする。
【００５４】
なお、ステップＳ１１において、ユーザにより長期滞在メニューへ変更することが一度選択されると、海外滞在中に本フローが再度実行される際には、ユーザに再度確認することなく自動的にステップＳ１２に移行するよう構成してもよい。
【００５５】
ステップＳ１１にて長期滞在メニューへ変更することが選択された場合、表示制御部１６により、「長期滞在メニュー」への変更が実施される（Ｓ１２：表示制御ステップ）。ここで、「長期滞在メニュー」の詳細について図５を参照して説明する。図５に示すように、長期滞在メニューは、メインメニュー３３において、ローミング時に利用できない機能、またはローミング時に必要のない機能については非表示とさせる。図５の例では、メインメニュー３３においてアイコン３３ａ，３３ｂが非表示となっている。
【００５６】
長期滞在メニューでは、さらに、図５にメインメニュー３４として示すように、メインメニュー３３においてアイコン３３ａ，３３ｂが非表示とされて空いた領域に、図４に示した海外便利機能のアイコン２１ｂを表示させる。また、非表示としたアイコン３３ａ，３３ｂをまとめた一覧画面を作成し、この一覧画面へリンクする「ホーム網機能」アイコン３４ａを表示させてもよい。さらに、ユーザが好みの機能を選択してメインメニューにアイコンを設定可能とし、移動通信端末１のユーザの嗜好に応じてメインメニューを有効活用できるよう構成してもよい。
【００５７】
このような移動通信端末１によれば、ローミング検知部１１が、ローミングの利用を検知するのに応じて、表示制御部１６が、ユーザに所望の機能を選択させるためのサービスメニュー画面（待ち受け画面２１またはメインメニュー画面３４）を、ローミングに応じた画面に変更する。このため、例えばホーム網に在圏している場合と異なるローミング時特有の機能のニーズの変化にも対応することができ、ローミングの利用時に、各機能を操作する際のユーザの利便性を向上させることができる。この結果、海外などローミング先での移動通信端末１の利用促進にもつながる。
【００５８】
また、ローミング経過時間計数部１５が、ローミング検知部１１によりローミングの利用が検知されると、ローミングの開始時からの経過時間を計数し、表示制御部１６は、さらにローミング経過時間計数部１５により計数された経過時間に応じた画面に変更する。この構成により、ローミングの経過時間に応じた機能のニーズの変化にも対応することができ、ローミングの利用時に、各機能を操作する際のユーザの利便性をより一層向上させることができる。
【００５９】
また、ローミング識別部１２が、ローミング検知部１１によりローミングの利用が検知されると、在圏しているネットワークの種類を識別し、表示制御部１６は、さらにローミング識別部１２により識別されたネットワークの種類に応じた画面に変更する。この構成により、ローミング時の在圏ネットワークの種類に応じた機能のニーズの変化にも対応することができ、ローミングの利用時に、各機能を操作する際のユーザの利便性をより一層向上させることができる。
【００６０】
また、海外メニュー作成部１３が、移動通信端末１で利用可能な機能のうちローミング時に使用する頻度の高い機能をまとめた海外便利機能メニュー画面２２を作成し、表示制御部１６は、海外メニュー作成部１３により作成された海外便利機能メニュー画面２２へリンクするアイコン２１ｂを画面に表示させることが好適である。この構成により、アイコン２１ｂを利用して海外便利機能メニュー画面２２を参照すればローミング時に必要な機能を容易に探し出すことが可能となり、ローミングの利用時に、各機能を操作する際のユーザの利便性をより一層向上させることができる。
【００６１】
また、使用不能機能選択部１４が、ローミング時に利用できない機能または利用する必要のない機能を選択し、表示制御部１６は、メインメニュー画面２３において、使用不能機能選択部１４により選択された機能がユーザ操作を介して選択された際に、当該機能が利用できない旨をユーザに提示する。このため、各機能の利用可否について移動通信端末のユーザに明確に提示することができ、この結果、ローミングの利用時に、各機能を操作する際のユーザの利便性をより一層向上させることができる。
【００６２】
また、表示制御部１６は、メインメニュー画面３３，３４において、使用不能機能選択部１４により選択された機能を非表示とする。ここで、表示制御部１６は、ローミングの経過時間が所定値以上、すなわち海外などローミング先での滞在時間が長くなると、ローミング時に利用することができない機能をメインメニュー３３，３４から非表示とする。また、ローミング先での設定関係の機能は頻繁に繰り返して使う機能ではなかったり、また、ローミング先のご利用ガイド等の機能もローミング先での滞在期間が長くなれば必要性が低くなっていく。このようにローミング先では利用する必要のない機能も、表示制御部１６はメインメニュー３３，３４から非表示とする。このため、ローミング時には不要となる機能が表示されなくなり、所望の機能をより一層容易に探し出すことが可能となる。この結果、ローミングの利用時に、各機能を操作する際のユーザの利便性をより一層向上させることができ、海外での移動通信端末１の利用促進にもつながる。
【００６３】
以上、本発明に係る移動通信端末１及び画面表示制御方法について好適な実施形態を挙げて説明したが、本発明は上記実施形態に限られるものではない。上記実施形態では、海外メニュー作成部１３は、海外渡航時などローミング時に使用頻度が高いものと予め指定されている機能を抽出していたが、さらに、在圏ネットワークの種類やローミング経過時間に応じて、抽出する機能を変更するよう構成してもよい。
【００６４】
また、上記実施形態では、使用不能機能選択部１４は、ローミング識別部１２により識別された在圏ネットワークの種類に応じて、この種類のネットワークでは利用できない機能を選択していたが、ローミング経過時間に応じて選択する機能を変更するよう構成してもよいし、ネットワーク種類及びローミング経過時間の両方を考慮して選択する機能を変更するよう構成してもよい。また、単にローミング利用時に利用できない機能のみを予め設定しておいてもよい。
【００６５】
また、上記実施形態では、移動通信端末１がローミングサービスを利用する状況として、移動通信端末１が自国以外の外国にある状況（海外渡航時）を例示したが、自国内でホーム網とは異なる網に在圏している場合にも適用可能である。この場合、上記実施形態で用いた「海外」という表記は、「ローミング時」などに置き換えることができる。また、上記実施形態で用いた「自国」という表記は、「ホーム網」などに置き換えることができる。
【００６６】
また、「ローミング時に利用できない機能、またはローミング時に必要のない機能」とは、経過時間を考慮して、使用不能機能選択部１４または表示制御部１６が、短期滞在メニュー及び長期滞在メニューごとに別な機能を選択するよう構成してもよい。例えば、海外での設定関係の機能は頻繁に繰り返して使う機能ではなかったり、また、渡航先のご利用ガイド等の機能も海外での滞在期間が長くなれば必要性が低くなっていく。このように海外滞在が長期化すると海外では利用する必要性が低くなる機能を、経過時間が長期になった場合には、使用不能機能選択部１４がさらに選択し、長期滞在メニューにおいてメインメニューから非表示とすることも可能である。
【符号の説明】
【００６７】
１…移動通信端末、１１…ローミング検知部（検知手段）、１２…ローミング識別部（識別手段）、１３…海外メニュー作成部（作成手段）、１４…使用不能機能選択部（選択手段）、１５…ローミング経過時間計数部（計数手段）、１６…表示制御部（表示制御手段）、２１…待ち受け画面、２１ｂ…アイコン、２２…海外便利機能メニュー画面（一覧画面）、３３…メインメニュー（メニュー画面）。
【図１】
2011217099.tif 000003
【図２】
2011217099.tif 000004
【図３】
2011217099.tif 000005
【図４】
2011217099.tif 000006
【図５】
2011217099.tif 000007
【図６】
2011217099.tif 000008